(57)【特許請求の範囲】
【請求項１】
電子レンジ加熱可能な食品を密封収容した食品密封収容袋を包装するための食品密封収容袋包装箱であり、
上壁と、前記上壁の左側端に上端が連続する左側壁と、前記上壁の右側端に上端が連続する右側壁と、前記左右側壁の下端に連続し、前記上壁に対向する下壁と、前記各壁の前端に続く前壁及び後端に続く後壁を含んでいて前記左右側壁間距離及び前記前後壁間距離より前記上下壁間距離が短い扁平形状を呈しており、
前記上壁は該上壁の前後端間の中間位置より上壁前端寄りの部位に形成された上壁後端側へ突出する円弧状に延びる中央破断用部、前記中央破断用部の左端から前記上壁の左側端へ延びる左破断用部、前記中央破断用部の右端から前記上壁の右側端へ延びる右破断用部及び前記中央破断用部より上壁前端寄りの部位に形成された、前記左右破断用部間に延びる上壁折り曲げ用部を有しており、
前記左側壁は前記上壁の左破断用部に続いて上下方向に延びる左側壁破断用部を有しており、
前記右側壁は前記上壁の右破断用部に続いて上下方向に延びる右側壁破断用部を有しており、
前記下壁は前記左右の側壁破断用部の下端間に延びる下壁折り曲げ用部を有していることを特徴とする食品密封収容袋包装箱。
【請求項２】
前記上壁折り曲げ用部は切断線と折り曲げ用筋付け線とを一列状に配列して形成されている請求項１記載の食品密封収容袋包装箱。
【請求項３】
前記下壁折り曲げ用部は前記左側壁破断用部の下端に続いて該下壁の後端且つ右側端の方向へ傾斜して延びる左側傾斜破断用部、前記右側壁破断用部の下端に続いて該下壁の後端且つ左側端の方向へ傾斜して延びる右側傾斜破断用部及び前記左右の傾斜破断用部の下壁後端側の端部間に延びる中央折り曲げ用部を含んでいる請求項１又は２記載の食品密封収容袋包装箱。
【請求項４】
前記下壁の中央折り曲げ用部は下壁前端側へ突出する山形状の切断線と下壁後端側へ突出する逆山形状の切断線とを順次交互に、且つ、隣り合う山形状の切断線と逆山形状の切断線の間に非切断ヒンジ部を介在させつつジグザグ状に配列して形成されている請求項３記載の食品密封収容袋包装箱。
【請求項５】
前記前壁は、前記左右の側壁の前端に連続する前フラップがそれぞれ内側に折り曲げられ、前記左右の前フラップ上に、前記上壁の前端に連続する前壁用片及び前記下壁の前端に連続する前壁用片のうち一方が曲げ重ねられ、且つ、該一方に予め形成しておいた糊通し孔が重ねられ、さらに該一方の上に他方が曲げ重ねられるとともに該両前壁用片が糊付けされ、且つ、該他方の前壁用片が前記糊通し孔を介して前記フラップにも糊付けされている請求項１から４のいずれか１項に記載の食品密封収容袋包装箱。
【請求項６】
前記前壁は、前記上壁の前端に連続する前壁用片及び前記下壁の前端に連続する前壁用片を含んでおり、前記両前壁用片はそれらのうち一方の上に他方が重ねられるように曲げ重ねられるとともに互いに糊付けされており、前記下壁の前端に連続する前壁用片には前記下壁前端から一体的に突出する突起が切断線で囲って形成されており、前記突起が前記下壁前端に連続する前壁用片の前記前壁形成のための折り曲げにより前記下壁前端から突出している請求項１から５のいずれか１項に記載の食品密封収容袋包装箱。
【請求項７】
電子レンジ加熱可能な食品を密封収容した食品密封収容袋を食品密封収容袋包装箱に収容した食品密封収容袋包装体であり、
前記食品密封収容袋はマイクロ波透過可能なフィルムで形成され、内部に電子レンジ加熱可能な食品が収容されているとともに前辺部、該前辺部に対向する後辺部及び該前後辺部間に延びる左右側辺部を含む周辺部が密封されて扁平形状を呈しており、前記前辺部寄りの部位に前記食品の加熱による内圧上昇により開封される圧抜き部が形成されており、
前記食品密封収容袋包装箱は請求項１から６のいずれか１項に記載の包装箱であり、
前記食品密封収容袋は前記前辺部が前記包装箱の前壁側に向けられて該包装箱内に収容されているとともに前記包装箱の前記上壁の破断用部の破断により該包装箱が開かれても前記圧抜き部が前記上壁の破断用部より上壁後端側の上壁部分で覆われるように該包装箱内に収容されていることを特徴とする食品密封収容袋包装体。
【請求項８】
請求項１から６のいずれか１項に記載の食品密封収容袋包装箱を形成するための、予め裁断された紙製の平坦な箱原板であり、平坦な状態において
前記破断用部及び前記折り曲げ用部を含む前記上壁、
前記上壁の右端に連続し、前記右側壁破断用部を含む前記右側壁、
前記右側壁の右端に連続し、前記下壁折り曲げ用部を含む前記下壁、
前記下壁の右端に連続し、前記左側壁破断用部を含む前記左側壁、
前記左右の各側壁の前端に続く前フラップ、
前記上壁の前端に連続する第１の前壁用片、
前記下壁の前端に連続する第２の前壁用片、
前記左右の各側壁の後端に続く後ろフラップ、
前記上壁の後端に連続する第１の後壁用片、
前記下壁の後端に連続する第２の後壁用片及び
前記上壁の左端に連続し、前記左側壁の破断用部に重ねられる破断用部を有する糊代片を含んでおり、
前記上壁、右側壁、下壁、左側壁及び糊代片を隣り合うものの境目で順次折り曲げて前記糊代片の上に前記左側壁を重ねて糊付けし、前記前フラップをそれぞれ内側へ折り曲げ、該前フラップ上に前記第１及び第２の前壁用片を曲げ重ねるとともに少なくとも該第１及び第２の前壁用片を糊付けし、前記後ろフラップをそれぞれ内側へ折り曲げ、該後ろフラップ上に前記第１及び第２の後壁用片を曲げ重ねるとともに少なくとも該第１及び第２の後壁用片を糊付けすることで前記食品密封収容袋包装箱を形成できることを特徴とする箱原板。
【発明の詳細な説明】
【技術分野】
【０００１】
本発明は電子レンジ加熱可能な食品、例えば調理された、或いは半調理された食品を密封収容した食品密封収容袋を包装する食品密封収容袋包装箱及び前記食品密封収容袋を前記食品密封収容袋包装箱に収容した食品密封収容袋包装体に関する。
【背景技術】
【０００２】
今日、マイクロ波透過可能な袋（通常、プラスチック袋）に密封収容された種々の電子レンジ加熱可能な食品、例えば既に調理された、或いは半調理された食品が市場に流通している。そのような食品密封収容袋は、電子レンジ内に配置して加熱すると、袋内食品が加熱され、蒸気が発生するので、袋破裂を防止するため、袋内圧が上昇してくると内圧により開封される圧抜き部が形成されている。
【０００３】
このような電子レンジ加熱可能な食品を密封収容した食品密封収容袋は、保管、運搬、展示、記載による種々の情報表示等のために包装箱で収容、包装されるのが一般的である。
【０００４】
また、今日では、包装箱に容れられた食品密封収容袋は包装箱ごと電子レンジ内に配置し、加熱することができるようになっているものもある。
【０００５】
そのような袋及び箱として次のようなものが見受けられる。
前記食品密封収容袋については、前記圧抜き部が袋のいずれかの端部に近い部位に設けられ、電子レンジ加熱にあたっては圧抜き部のある袋端部を反対側端部より高所に位置するように袋を傾けて電子レンジ内に配置すれば、加熱により圧抜き部が開封された場合でも袋内容物が開封された圧抜き部から流出して電子レンジ内を汚すなどの恐れはないとされているものである。
【０００６】
一方、包装箱については、その一部を開けることで前記食品密封収容袋の前記圧抜き部を露出させることができるとともに、開けた箱の一部を折り曲げて支持部とするなどして電子レンジ内に傾斜姿勢で配置でき、それにより袋を圧抜き部のある端部が他端部より高所に位置する傾斜状態で箱ごと電子レンジ内に配置することができるようにしたものである。
【０００７】
このような食品密封収容袋及び包装箱は通常その包装箱に食品密封収容袋を収容した食品密封収容袋包装体の態様で保管、運搬、展示、販売等されている。
【０００８】
このような食品密封収容袋包装体は例えば特開２００３−１７０９３０号公報、特許第４５２２７８２号公報に記載されている。
【先行技術文献】
【特許文献】
【０００９】
【特許文献１】特開２００３−１７０９３０号公報
【特許文献２】特許第４５２２７８２号公報
【発明の概要】
【発明が解決しようとする課題】
【００１０】
しかしながら、使用する包装箱によっては、開けられた包装箱の一部がその開けられた状態から復元方向に動き、その結果、食品密封包装袋の圧抜き部が袋の他の部分に対して、袋内容物の吹き出しを十分抑制できるほどに高所に配置されなくなる恐れがある。場合によっては、包装箱の開け方を間違って、食品密封包装袋の圧抜き部が袋の他の部分に対して、袋内容物の吹き出しを十分抑制できるほどに高所に配置されなくなることも考えられる。
【００１１】
また、上記した従来の食品密封収容袋包装体によると、食品密封包装袋を包装箱ごと電子レンジ内に傾斜姿勢で配置して加熱できるように包装箱の一部を開けた状態では、袋の圧抜き部が包装箱から露出し、食品の種類、量、加熱の程度等によっては、開封された圧抜き部から食品の一部が吹きだして電子レンジ内を汚すなどの恐れがある。
【００１２】
本発明は電子レンジ加熱可能な食品を密封収容した食品密封収容袋を包装するための食品密封収容袋包装箱であって次の利点を有する包装箱を提供することを第１の課題とする。
（１）包装箱の一部を開けた状態で該開けた部分を支えにして電子レンジ内に傾斜姿勢で配置でき、食品密封収容袋を圧抜き部のある部位が該開ける部分に向くように該包装箱に収容しておけば、該食品密封収容袋を包装箱の一部を開けた状態で包装箱ごと圧抜き部を高い位置において傾斜させて電子レンジ内に配置し加熱することができ、その傾斜姿勢により圧抜き部からの食品の一部の吹き出しなどの恐れを低減できる。
（２）たとえ推奨される標準的箱開き状態とは異なる開き方がなされても、その開き方によっては、食品密封収容袋を圧抜き部のある部位が該開ける部分に向くように該包装箱に収容しておけば、該食品密封収容袋を包装箱の一部を開けた状態で圧抜き部を高い位置において包装箱ごと傾斜させて電子レンジ内に配置できる。
【００１３】
本発明は電子レンジ加熱可能な食品を密封収容した食品密封収容袋を食品密封収容袋包装箱に収容した食品密封収容袋包装体であって次の利点を有する包装体を提供することを第２の課題とする。
（１）内部に収容した食品密封収容袋を食品密封収容袋包装箱の一部を開けた状態で、しかし、なお食品密封収容袋の圧抜き部が包装箱で覆われた状態で、該開けた部分を支えにして電子レンジ内に該包装箱ごと該袋の圧抜き部を高い位置において傾斜姿勢で配置でき、それにより食品密封収容袋の圧抜き部からの食品の一部の吹き出しなどの恐れを低減できるとともに、包装箱周辺への食品吹き出しを抑制できる。
（２）食品密封収容袋包装箱がたとえ推奨される標準的箱開き状態とは異なる開き方がなされても、その開き方によってはなお食品密封収容袋をその圧抜き部のある部位を高い位置において、且つ、圧抜き部が包装箱で覆われた状態で、安全に電子レンジ加熱することができる。
【００１４】
また、本発明は本発明に係る食品密封収容袋包装箱を組み立て形成できる箱原板を提供することを第３の課題とする。
【課題を解決するための手段】
【００１５】
本発明は前記第１の課題を解決するため、
電子レンジ加熱可能な食品を密封収容した食品密封収容袋を包装するための食品密封収容袋包装箱であり、
上壁と、前記上壁の左側端に上端が連続する左側壁と、前記上壁の右側端に上端が連続する右側壁と、前記左右側壁の下端に連続し、前記上壁に対向する下壁と、前記各壁の前端に続く前壁及び後端に続く後壁を含んでいて前記左右側壁間距離及び前記前後壁間距離より前記上下壁間距離が短い扁平形状を呈しており、
前記上壁は該上壁の前後端間の中間位置より上壁前端寄りの部位に形成された上壁後端側へ突出する円弧状に延びる中央破断用部、前記中央破断用部の左端から前記上壁の左側端へ延びる左破断用部、前記中央破断用部の右端から前記上壁の右側端へ延びる右破断用部及び前記中央破断用部より上壁前端寄りの部位に形成された、前記左右破断用部間に延びる上壁折り曲げ用部を有しており、
前記左側壁は前記上壁の左破断用部に続いて上下方向に延びる左側壁破断用部を有しており、
前記右側壁は前記上壁の右破断用部に続いて上下方向に延びる右側壁破断用部を有しており、
前記下壁は前記左右の側壁破断用部の下端間に延びる下壁折り曲げ用部を有している食品密封収容袋包装箱を提供する。
【００１６】
本発明に係る食品密封収容袋包装箱によると、その組立て形成とともに内部に食品密封収容袋を収容することができる。
本発明に係る食品密封収容袋包装箱によると、上壁の中央破断用部と折り曲げ用部の間の部分を例えば指で箱内側へ押し込むようにして該中央破断用部を破断することができ、また、その押し込み部分を該破断操作にともなって折り曲げ用部に沿って箱内側へ向け折り曲げることができる。
【００１７】
さらに、前記箱内側へ向け折り曲げた部分あたりを引き上げるようにして、前記中央破断用部の破断に続けて該中央破断用部に続く左右の破断用部、さらに左右側壁の破断用部も破断するとともに、下壁の前端部を下壁折り曲げ用部にそって下側へ折り曲げることで包装箱の一部を開くことができる。
【００１８】
このとき推奨される標準的な包装箱の開き方に従って、下壁の前端部を下壁折り曲げ用部にそって略１８０度折り曲げ回動させて下壁残部に重ねた状態に開き（この状態では復元回動し難い）、その開いた箱部分を支持枕にして包装箱を傾斜姿勢におくことができる。
以下この推奨される標準的な包装箱の開き方を「標準開き」ということがある。
【００１９】
本発明に係る包装箱は上記のように一部を開けた状態で該開けた部分を支えにして電子レンジ内に傾斜姿勢で配置できる。従って、食品密封収容袋を圧抜き部のある部位が該開ける部分近くに位置するように該包装箱に収容しておけば、該食品密封収容袋を包装箱の一部を開けた状態で包装箱ごと圧抜き部を高い位置において傾斜させて電子レンジ内に配置し加熱することができ、その傾斜姿勢により圧抜き部からの食品の一部の吹き出しなどの恐れを低減できる。
【００２０】
本発明に係る食品密封収容袋包装箱は前記「標準開き」とは異なった、しかし予測される開け方で開かれることがあり得る。例えば次の開き方を例示できる。
上壁の中央破断用部と折り曲げ用部の間の部分を箱内側へ押し込むようにして該中央破断用部を破断し、その押し込み部分を該破断操作にともなって折り曲げ用部に沿って箱内側へ向け折り曲げ、さらに前記中央破断用部の破断に続けて該中央破断用部に続く左右の破断用部、左右側壁の破断用部も破断するとともに、下壁の前端部を下壁折り曲げ用部にそって下側へ折り曲げる。しかしこのとき、下壁の前端部を下壁折り曲げ用部にそって略９０度だけ折り曲げ回動させる。このように開かれた箱部分を支持枕にして包装箱を傾斜姿勢におく。以下この開き方を「９０度開き」ということがある。
【００２１】
このような開き方で開かれた場合でも、上壁の中央破断用部と折り曲げ用部の間の部分が既に上壁折り曲げ用部に沿って折り曲げられており、その折り曲げ部分が開かれた包装箱から突き出す食品密封収容袋の下方に位置して該開かれた箱部分の復帰回動が妨げられる。従って、食品密封収容袋を圧抜き部のある部位が該開ける部分近くに位置するように該包装箱に収容しておけば、包装箱の一部をこのように不完全に開けた状態でも該食品密封収容袋をその圧抜き部を高い位置において包装箱ごと傾斜させて電子レンジ内に配置できる。
【００２２】
本発明に係る食品密封収容袋包装箱における前記上壁折り曲げ用部の例として、折り曲げ易いように、上壁を貫通切断した切断線と折り曲げ用筋付け線とを一列状に配列して形成したものを挙げることができる。
【００２３】
そのような折り曲げ用部のさらなる例として、
切断線と折り曲げ用筋付け線とを直線状に配列して形成したもの、及び
切断線と折り曲げ用筋付け線とを上壁の前端側へ突出する円弧状に配列して形成したものを例示できる。
【００２４】
いずれにしても、該切断線は複数形成する場合、間欠的にミシン目様に形成する場合を例示できる。該折り曲げ用筋付け線についても間欠的にミシン目様に形成してもよいが、連続するように、しかし、全体としては切断線と折り曲げ用筋付け線とが一列状に配列された態様を呈するように形成してもよい。そのような態様として、連続する折り曲げ用筋付け線に沿って切断線を形成する場合を例示できる。
【００２５】
前記下壁の前端から前記下壁折り曲げ用部までの距離は、本発明に係る箱を開くにあたり前記のように「９０度開き」する場合でも、上壁の中央破断用部と折り曲げ用部の間の該折り曲げ用部に沿って折り曲げられた部分が開かれた包装箱から突き出す食品密封収容袋の下方に位置することができる距離とする例を挙げることができる。具体例として、前記下壁の前端から前記下壁折り曲げ用部までの距離を前記上壁の前端から前記上壁折り曲げ用部までの距離と同等程度又はそれより長くする場合を挙げることができる。
【００２６】
本発明に係る食品密封収容袋包装箱の前記の標準的な開け方とは異なるさらに他の開け方の例として、次の開け方も考えられる。
すなわち、上壁の中央破断用部と折り曲げ用部の間の部分を箱内側へ押し込むようにして該中央破断用部を破断し、その押し込み部分を該破断操作にともなって折り曲げ用部に沿って箱内側へ向け折り曲げ、或いはさらに上壁の前記中央破断用部の破断に続けて該中央破断用部に続く左右の破断用部を開け、或いはさらに左右側壁の破断用部も破断させ、しかし、下壁の前端部を下壁折り曲げ用部にそって下側へ折り曲げない開け方である。
以下この開き方を「平坦開き」ということがある。
【００２７】
このような開け方の場合でも、包装箱及びそれに収容される食品密封収容袋が該袋の圧抜き部が高い位置におかれるように傾斜姿勢をとるように、前記下壁折り曲げ用部を次のように形成してもよい。
すなわち、前記左側壁破断用部の下端に続いて下壁の後端且つ右側端の方向へ傾斜して延びる左側傾斜破断用部、前記右側壁破断用部の下端に続いて下壁の後端且つ左側端の方向へ傾斜して延びる右側傾斜破断用部及び前記左右の傾斜破断用部の下壁後端側の端部間に延びる中央折り曲げ用部を有している下壁折り曲げ用部である。
【００２８】
この下壁折り曲げ用部によると、本発明に係る包装箱が標準的な開け方とは異なる前記の「平坦開き」で開けられた場合でも、内部の食品密封収容袋が加熱により内圧で膨張して前記包装箱の上壁及び下壁が丸みを帯びるように変形するにつれ、前記下壁折り曲げ用部の左右の破断用部が破断され、それにより、包装箱の開けられた部分が下方へ反り、包装箱及びそれに収容される食品密封収容袋が該袋の圧抜き部が高い位置におかれるように傾斜姿勢をとることができる。
【００２９】
前記下壁折り曲げ用部における中央折り曲げ用部は、折れ曲がり易いように、そして一旦折り曲げると復元回動し難いように、下壁前端側へ突出する山形状の切断線と下壁後端側へ突出する逆山形状の切断線とを順次交互に、且つ、隣り合う山形状の切断線と逆山形状の切断線の間に非切断ヒンジ部を介在させつつジグザグ状に配列して形成されていてもよい。
【００３０】
本発明に係る食品密封収容袋包装箱が前記［９０度開き］で開かれる場合、包装箱を傾斜姿勢に支える開かれた部分の下端面となる包装箱前壁外面が膨出するように丸みを帯びていると、開かれた箱部分が電子レンジ内トレイ上で滑って復帰回動し易くなり、箱姿勢が不安定になるおそれがある。
【００３１】
そこで前壁外面を平坦化するために次のようにしてもよい。
前記前壁は、前記左右の側壁の前端に連続する前フラップがそれぞれ内側に折り曲げられ、前記左右の前フラップ上に、前記上壁の前端に連続する前壁用片及び前記下壁の前端に連続する前壁用片のうち一方が曲げ重ねられ、且つ、該一方に予め形成しておいた糊通し孔が重ねられ、さらに該一方の上に他方が曲げ重ねられるとともに該両前壁用片が糊付けされ、且つ、該他方の前壁用片が前記糊通し孔を介して前記フラップにも糊付けされているものとする。
【００３２】
また、このような前壁外面の平坦化に代えて、或いは平坦化とともに、前記前壁は、前記上壁の前端に連続する前壁用片及び前記下壁の前端に連続する前壁用片を含んでおり、前記両前壁用片はそれらのうち一方の上に他方が重ねられるように曲げ重ねられるとともに互いに糊付けされており、前記下壁の前端に連続する前壁用片には前記下壁前端から一体的に突出する突起が切断線で囲って形成されており、前記突起が前記下壁前端に連続する前壁用片の前記前壁形成のための折り曲げにより前記下壁前端から突出するようにしてもよい。
【００３３】
この突起が前壁外面を下壁後端側で高位置をとるように傾斜配置可能とし、滑り止め機能を発揮する。
【００３４】
本発明は前記第２の課題を解決するため次の食品密封収容袋包装体も提供する。
電子レンジ加熱可能な食品を密封収容した食品密封収容袋を食品密封収容袋包装箱に収容した食品密封収容袋包装体であり、
前記食品密封収容袋はマイクロ波透過可能なフィルムで形成され、内部に電子レンジ加熱可能な食品が収容されているとともに前辺部、該前辺部に対向する後辺部及び該前後辺部間に延びる左右側辺部を含む周辺部が密封されて扁平形状を呈しており、前記前辺部寄りの部位に前記食品の加熱による内圧上昇により開封される圧抜き部が形成されており、
前記食品密封収容袋包装箱は本発明に係る包装箱であり、
前記食品密封収容袋は前記前辺部が前記包装箱の前壁側に向けられて該包装箱内に収容されているとともに前記包装箱の前記上壁の破断用部の破断により該包装箱が開かれても前記圧抜き部が前記上壁の破断用部より上壁後端側の上壁部分で覆われるように該包装箱内に収容されている食品密封収容袋包装体である。
【００３５】
本発明に係る食品密封収容袋包装体は、食品密封収容袋を収容する食品密封収容袋包装箱として本発明に係る包装箱を採用しているので、該包装箱内部に収容した食品密封収容袋を食品密封収容袋包装箱の一部を開けた状態で、該開けた部分を支えにして電子レンジ内に該包装箱ごと該袋の圧抜き部を高い位置において傾斜姿勢で配置でき、それにより食品密封収容袋の圧抜き部からの食品の一部の吹き出しなどの恐れを低減できる。
【００３６】
また、本発明に係る食品密封収容袋包装体は、食品密封収容袋を食品密封収容袋包装箱の一部を開けた状態で、しかし、なお食品密封収容袋の圧抜き部が包装箱で覆われた状態で電子レンジ内に配置できるので、包装箱外周辺への食品密封収容袋の圧抜き部からの食品吹き出しや散乱を抑制できる。
【００３７】
また、食品密封収容袋包装箱がたとえ推奨される標準的箱開き状態とは異なる開き方で開かれても、その開き方によってはなお食品密封収容袋をその圧抜き部のある部位を高い位置において、且つ、圧抜き部が包装箱で覆われた状態で、安全に電子レンジ加熱することができる。
【００３８】
本発明は前記第３の課題を解決するため、予め裁断された紙製（紙主体）の平坦な箱原板を提供する。
該箱原板は平坦な状態において
前記破断用部及び前記折り曲げ用部を含む前記上壁、
前記上壁の右端に連続し、前記右側壁破断用部を含む前記右側壁、
前記右側壁の右端に連続し、前記下壁折り曲げ用部を含む前記下壁、
前記下壁の右端に連続し、前記左側壁破断用部を含む前記左側壁、
前記左右の各側壁の前端に続く前フラップ、
前記上壁の前端に連続する第１の前壁用片、
前記下壁の前端に連続する第２の前壁用片、
前記左右の各側壁の後端に続く後ろフラップ、
前記上壁の後端に連続する第１の後壁用片、
前記下壁の後端に連続する第２の後壁用片及び
前記上壁の左端に連続し、前記左側壁の破断用部に重ねられる破断用部を有する糊代片を含んでいる。
【００３９】
この箱原板によると、
前記上壁、右側壁、下壁、左側壁及び糊代片を隣り合うものの境目で順次折り曲げて前記糊代片の上に前記左側壁を重ねて糊付けし、前記前フラップをそれぞれ内側へ折り曲げ、該前フラップ上に前記第１及び第２の前壁用片を曲げ重ねるとともに少なくとも該第１及び第２の前壁用片を糊付けし、前記後ろフラップをそれぞれ内側へ折り曲げ、該後ろフラップ上に前記第１及び第２の後壁用片を曲げ重ねるとともに少なくとも該第１及び第２の後壁用片を糊付けすることで前記食品密封収容袋包装箱を形成できる。
【発明の効果】
【００４０】
以上説明したように本発明によると、電子レンジ加熱可能な食品を密封収容した食品密封収容袋を包装するための食品密封収容袋包装箱であって次の利点を有する包装箱を提供することができる。
（１）包装箱の一部を開けた状態で該開けた部分を支えにして電子レンジ内に傾斜姿勢で配置でき、食品密封収容袋を圧抜き部のある部位が該開ける部分に向くように該包装箱に収容しておけば、該食品密封収容袋を包装箱の一部を開けた状態で包装箱ごと圧抜き部を高い位置において傾斜させて電子レンジ内に配置し加熱することができ、その傾斜姿勢により圧抜き部からの食品の一部の吹き出しなどの恐れを低減できる。
（２）たとえ推奨される標準的箱開き状態とは異なる開き方がなされても、その開き方によっては、食品密封収容袋を圧抜き部のある部位が該開ける部分に向くように該包装箱に収容しておけば、該食品密封収容袋を包装箱の一部を開けた状態で圧抜き部を高い位置において包装箱ごと傾斜させて電子レンジ内に配置できる。
【００４１】
また本発明によると、電子レンジ加熱可能な食品を密封収容した食品密封収容袋を食品密封収容袋包装箱に収容した食品密封収容袋包装体であって次の利点を有する包装体を提供することができる。
（１）内部に収容した食品密封収容袋を食品密封収容袋包装箱の一部を開けた状態で、しかし、なお食品密封収容袋の圧抜き部が包装箱で覆われた状態で、該開けた部分を支えにして電子レンジ内に該包装箱ごと該袋の圧抜き部を高い位置において傾斜姿勢で配置でき、それにより食品密封収容袋の圧抜き部からの食品の一部の吹き出しなどの恐れを低減できるとともに、包装箱周辺への食品吹き出しを抑制できる。
（２）食品密封収容袋包装箱がたとえ推奨される標準的箱開き状態とは異なる開き方がなされても、その開き方によってはなお食品密封収容袋をその圧抜き部のある部位を高い位置において、且つ、圧抜き部が包装箱で覆われた状態で、安全に電子レンジ加熱することができる。
【００４２】
また、本発明によると、本発明に係る食品密封収容袋包装箱を組み立て形成できる箱原板を提供することができる。
【図面の簡単な説明】
【００４３】
【図１】図１（Ａ）は本発明に係る食品密封収容袋包装体の１例の上面図であり、図１（Ｂ）は同包装体の下面図である。
【図２】図２（Ａ）は図１の包装体の左側面図であり、図２（Ｂ）は同包装体の右側面図である。
【図３】図３（Ａ）は図１の包装体の前面図であり、図３（Ｂ）は同包装体の後面図である。
【図４】食品密封収容袋の１例の上面図である。
【図５】図５（Ａ）は食品密封収容袋包装箱の組み立て前の原板例を示す図であり、図５（Ｂ）は包装箱の上壁折り曲げ用部の他の例を示す図である。
【図６】図１の食品密封収容袋包装体における食品密封収容袋包装箱を開け始める様子を示す斜視図である。
【図７】食品密封収容袋包装箱を図６の状態からさらに開けた状態を示す図である。
【図８】図８（Ａ）は図１の包装体の食品密封収容袋包装箱の一部を「標準開き」状態に開いた様子を示す図であり、図８（Ｂ）は図８（Ａ）の包装体を包装箱前壁側から見た図である。
【図９】図９（Ａ）は図１の包装体の食品密封収容袋包装箱の一部を「９０度開き」状態に開いた様子を示す図であり、図９（Ｂ）は図９（Ａ）の包装箱の一部が復帰動作しているが、包装箱も食品密封収容袋も傾斜姿勢に維持されている様子を示す図である。
【図１０】図１０（Ａ）は図１の包装体の食品密封収容袋包装箱の一部を「平坦開き」状態に開いた様子を示す図であり、図１０（Ｂ）は食品密封収容袋の加熱膨張により図（Ａ）の包装箱の一部が反って包装箱及び食品密封収容袋が傾斜姿勢に維持されている様子を示す図であり、図１０（Ｃ）は箱下壁の傾斜破断用部を含む折り曲げ用部を示す図である。
【図１１】食品密封収容袋包装箱の一部の「標準開き」とは異なるさらに他の例を示す図である。
【図１２】包装箱の前壁外面を丸みを帯びた状態に対して平坦化する例を示す図である。
【図１３】図１３（Ａ）は包装箱の上壁折り曲げ用部のさらに他の例を示す図であり、図１３（Ｂ）は包装箱の上壁折り曲げ用部のさらに他の例を示す図である。
【図１４】前壁滑り止め突起を設けた包装箱例を示す図である。
【図１５】上壁折り曲げ用部を形成していない比較例包装箱を示す図である。
【発明を実施するための形態】
【００４４】
図１は本発明に係る食品密封収容袋包装体の１例１００を示す図であり、図１（Ａ）は上面図、図１（Ｂ）は下面図である。図２（Ａ）は図１の包装体１００の左側面図であり、図２（Ｂ）は同包装体１００の右側面図である。図３（Ａ）は図１の包装体１００の前面図であり、図３（Ｂ）は同包装体１００の後面図である。図４は食品密封収容袋の１例の上面図である。
【００４５】
図示の包装体１００は電子レンジ加熱可能な食品を密封収容した食品密封収容袋２を食品密封収容袋包装箱１に収容したものである。
【００４６】
食品密封収容袋２は図４に示すように、マイクロ波透過可能なフィルムｆで形成され、内部に電子レンジ加熱可能な食品Ｆが収容されているとともに前辺部２１、前辺部２１に対向する後辺部２２及び前後辺部２１、２２間に延びる左右側辺部２３を含む周辺部２０が密封されて扁平矩形状を呈している。
【００４７】
前辺部２１寄りの部位（本例では前辺部２１と左側辺部２３で提供される前側コーナ部位２４）に食品Ｆの加熱による内圧上昇により開封される圧抜き部２５が形成されている。圧抜き部２５は本例では図４に示すように、袋本体を構成している重ねられたフィルムｆの一部をヒートシール２５１し、該ヒートシール部分２５１の中央部に透孔２５２を形成したものである。ヒートシール部分２５１は電子レンジ加熱時の袋本体内気圧上昇で、袋が破裂しない安全圧力範囲内でフィルムｆ間を剥がして袋内を孔２５２へ連通させることができる、周辺部２０より弱い弱シール部である。
【００４８】
食品密封収容袋包装箱１は、図１〜図３に示すように、上壁１１と、上壁１１の左側端に上端が連続する左側壁１２と、上壁１１の右側端に上端が連続する右側壁１３と、左右側壁１２、１３の下端に連続し、上壁１１に対向する下壁１４と、前記各壁の前端に続く前壁１５及び後端に続く後壁１６を含んでいる。包装箱１は左右側壁１２、１３間距離及び前後壁１５、１６間距離より上下壁１１、１４間距離が短い扁平直方体形状を呈している。
【００４９】
上壁１１は上壁１１の前後端１１１、１１２間の中間位置より上壁前端１１１寄りの部位に形成された、上壁後端１１２側へ突出する円弧状に延びる中央破断用部Ｃ１、中央破断用部Ｃ１の左端から上壁１１の左側端へ延びる左破断用部Ｃ２１、中央破断用部Ｃ１の右端から上壁１１の右側端へ延びる右破断用部Ｃ２２及び中央破断用部Ｃ１より上壁前端１１１寄りの部位に形成され、左右破断用部間に延びる上壁折り曲げ用部Ｂ１を有している。
【００５０】
左側壁１２は上壁１１の左破断用部Ｃ２１に続いて上下方向に延びる左側壁破断用部Ｃ３１を有しており、右側壁１３は上壁１１の右破断用部Ｃ２２に続いて上下方向に延びる右側壁破断用部Ｃ３２を有している。下壁１４は左右の側壁破断用部Ｃ３１、Ｃ３２の下端間に延びる下壁折り曲げ用部Ｂ２を有している。
【００５１】
この包装箱１は、図５（Ａ）に示す予め裁断された紙製の（主として紙で形成されている）平坦な箱原板１０を折り曲げ、糊付けして形成されている。
箱原板１０は図５（Ａ）に示す平坦な状態において次のように構成されている。すなわち、
破断用部Ｃ１、Ｃ２１、Ｃ２２及び折り曲げ用部Ｂ１を含む上壁１１、
上壁１１の右端に連続し、右側壁破断用部Ｃ３２を含む右側壁１３、
右側壁１３の右端に連続し、下壁折り曲げ用部Ｂ２を含む下壁１４、
下壁１４の右端に連続し、左側壁破断用部Ｃ３１を含む左側壁１２、 
左右の各側壁の前端に続く前フラップ１２１、１３１、
上壁１１の前端１１１に連続する第１の前壁用片１５１、
下壁１４の前端１４１に連続する第２の前壁用片１５２、
左右の各側壁の後端に続く後ろフラップ１２２、１３２
上壁１１の後端１１２に連続する第１の後壁用片１６１、
下壁１４の後端１４２に連続する第２の後壁用片１６２及び
上壁１１の左端に連続し、左側壁１２の破断用部Ｃ３１に重ねられる破断用部１７１を有する糊代片１７を含んでいる。
【００５２】
上壁１１、右側壁１３、下壁１４、左側壁１２及び糊代片１７が隣り合うものの境目で順次折り曲げられて、糊代片１７の上に左側壁１２が重ねられて糊付けされる。
さらに、前フラップ１２１、１３１がそれぞれ内側へ折り曲げられ、該前フラップ上に第１及び第２の前壁用片１５１，１５２が曲げ重ねられるとともに少なくとも該第１及び第２の前壁用片１５１，１５２が互いに糊付けされる。このように包装箱１の前壁１５は前フラップ１２１、１３１とそれらの上に重なる前壁用片１５１、１５２で形成されている。
【００５３】
また、後ろフラップ１２２、１３２がそれぞれ内側へ折り曲げられ、該後ろフラップ上に第１及び第２の後壁用片１６１，１６２が曲げ重ねられるとともに少なくとも該第１及び第２の後壁用片１６１，１６２が互いに糊付けされる。このように包装箱１の後壁１６は後ろフラップ１２２、１３２とそれらの上に重なる後壁用片１６１、１６２で形成されている。
【００５４】
包装箱１の左側壁１２は糊代片１７に糊付けされ、糊代片１７に形成された切断線を含む破断用部１７１が左側壁１２の破断用部Ｃ３１に重ねられている。
【００５５】
このようにして包装箱１は形成され、包装箱形成過程でその中に食品密封収容袋２が収容される。その際、袋２は図１に示すように袋２の前辺部２１が箱前壁１５に向けられるように、また、圧抜き部２５が箱上壁１１の破断用部Ｃ１，Ｃ２１，Ｃ２２，側壁１２，１３の破断用部Ｃ３１，Ｃ３２及び下壁１４の折り曲げ用部Ｂ２より箱後壁１６側の箱部分で覆われるように収容される。
【００５６】
包装箱１についてさらに説明すると、上壁１１の破断用部Ｃ１は上壁１１に貫通形成した切断線ｃ１１をミシン目状に間隔をおいて円弧状に配列して形成されている。
上壁１１の破断用部Ｃ２１、Ｃ２２のそれぞれは上壁１１に貫通形成した切断線ｃ２０を間隔をおいて、上壁前端１１１側へやや膨らむ円弧状に配列して形成されている。
上壁１１の折り曲げ用部Ｂ１は上壁１１に貫通形成した切断線ｂ１と折り曲げ用筋付け線ｂ２とを一列直線状に交互に配列して形成されている。
折り曲げ用部Ｂ１は図５（Ｂ）に例示するように、直線状に連続する折り曲げ用筋付け線ｂ２００に沿って切断線ｂ１がミシン目様に形成され、全体として、切断線と折り曲げ用筋付け線が一列状に配列されたように形成されていてもよい。
【００５７】
上壁１１の折り曲げ用部は、図１３（Ａ）に例示するように、上壁１１に貫通形成した切断線ｂ１’と折り曲げ用筋付け線ｂ２’とを一列に、上壁前端１１１側へ膨らむ円弧状に交互に配列して形成された折り曲げ用部Ｂ１’でもよい。
また、折り曲げ用部Ｂ１’は図１３（Ｂ）に例示するように、円弧状に連続する折り曲げ用筋付け線ｂ２００’に沿って切断線ｂ１’がミシン目様に形成され、全体として、切断線と折り曲げ用筋付け線が一列状に配列されたように形成されていてもよい。
【００５８】
前記側壁１２、１３の破断用部Ｃ３１、Ｃ３２のそれぞれは側壁に貫通形成した直線状及びＹ字状の切断線を全体として直線状に間隔をおいて配列して形成されている。
【００５９】
下壁１４の折り曲げ用部Ｂ２は、本例では、左側壁破断用部Ｃ３１の下端に続いて下壁１４の後端１４２且つ一側端１４４の方向へ傾斜して延びる傾斜破断用部ｂ２１、前記右側壁破断用部Ｃ３２の下端に続いて下壁１４の後端１４２且つ他側端１４３の方向へ傾斜して延びる傾斜破断用部ｂ２２を含んでいる。さらに、左右の傾斜破断用部ｂ２１、ｂ２２の下壁後端１４２側の端部間に延びる中央折り曲げ用部ｂ２３を有している。
【００６０】
下壁１４の中央折り曲げ用部ｂ２３は、折り曲げ易く、一旦折り曲げると復帰し難いように、下壁前端１４１側へ突出する山形状の下壁貫通切断線ｘ１と、下壁後端１４２側へ突出する逆山形状の下壁貫通切断線ｘ２とを順次交互に、且つ、隣り合う切断線ｘ１、ｘ２の間に非切断ヒンジ部ｙを介在させつつジグザグ状に配列して形成されている。
【００６１】
以上説明した食品密封収容袋包装箱１によると、その組立て形成とともに内部に食品密封収容袋２を収容して食品密封収容袋包装体１００を提供することができる。
箱１によると、図６に示すように上壁１１の中央破断用部Ｃ１と折り曲げ用部Ｂ１の間の部分Ａを例えば指で箱内側へ押し込むようにして中央破断用部Ｃ１を破断することができる。また、その押し込み部分Ａを該破断操作にともなって折り曲げ用部Ｂ１に沿って箱内側へ向け折り曲げることができる。
【００６２】
さらに、箱内側へ向け折り曲げた部分Ａあたりを引き上げるようにして、図７のように中央破断用部Ｃ１の破断に続けて該中央破断用部に続く左右の破断用部Ｃ２１、Ｃ２２を、さらに左右側壁１２，１３の破断用部Ｃ３１（糊代片の破断用部１７１）、Ｃ３２を破断するとともに、下壁１４の前端部Ｂを下壁折り曲げ用部Ｂ２にそって下側へ折り曲げることで包装箱１の一部Ｐを開くことができる。
【００６３】
このとき推奨される標準的な包装箱１の開き方に従って、図８のように下壁１４の前端部Ｂを下壁折り曲げ用部Ｂ２にそって略１８０度折り曲げ回動させて下壁残部に重ねた状態に、復元回動し難いように開き、その開いた箱部分Ｐを支持枕にして包装箱１を安定的に傾斜姿勢におくことができる。図８（Ａ）は包装箱１の一部Ｐを開いた包装体１００の斜視図であり、図８（Ｂ）はその包装体１００を箱前壁側から見た図である。
以下この推奨される標準的な包装箱１の開き方を「標準開き」と言う。
【００６４】
包装箱１は上記のように一部Ｐを開けた状態で該開けた部分Ｐを支えにして電子レンジ内に傾斜姿勢で配置できる。従って、食品密封収容袋２を圧抜き部２５のある部位が該開ける部分Ｐ近くに位置するように包装箱１に収容しておけば、袋２を包装箱の一部Ｐを開けた状態で包装箱１ごと圧抜き部２５を高い位置において傾斜させて電子レンジ内に配置し加熱することができ、その傾斜姿勢により圧抜き部２５からの食品の吹き出し等の恐れを低減できる。
【００６５】
また、食品密封収容袋２はその圧抜き部２５が前記開けられる箱部分Ｐ以外の箱部分で覆われているから、食品密封収容袋２の圧抜き部２５からの包装箱１の外周辺への食品１０の吹き出しや散乱を抑制できる。
なお、図１５に示すように、上壁１１の前記部分Ａに相当する部分Ａ’を折り曲げる折り曲げ用部が設けられていないと、開いた箱部分Ｐが電子レンジ内トレイＴ上で滑ったような場合、部分Ａ’は箱内袋２と干渉しないで、或いは強くは干渉しないで、回動復帰し易くなり、袋２を十分な傾斜姿勢に置き難くなるおそれがある。
【００６６】
包装箱１は前記「標準開き」とは異なった、しかし予測される開け方で開かれることがあり得る。例えば図９（Ａ）に示す次の開き方を例示できる。
上壁１１の中央破断用部Ｃ１と折り曲げ用部Ｂ１の間の部分Ａを箱内側へ押し込むようにして該中央破断用部を破断し、その押し込み部分Ａを該破断操作にともなって折り曲げ用部Ｂ１に沿って箱内側へ向け折り曲げ、さらに中央破断用部Ｃ１の破断に続けて左右の破断用部Ｃ２１、Ｃ２２、さらに左右側壁１２，１３の破断用部Ｃ３１、Ｃ３２も破断するとともに、下壁１４の前端部Ｂを下壁折り曲げ用部Ｂ２にそって下側へ折り曲げる。しかしこのとき、下壁１４の前端部Ｂを下壁折り曲げ用部Ｂ２にそって略９０度だけ折り曲げ回動させる。このように開かれた箱部分Ｐを支持枕にして包装箱１及び袋２を傾斜姿勢におく。以下この開き方を「９０度開き」と言う。
【００６７】
このような開き方で開かれた場合でも、上壁１１の中央破断用部Ｃ１と折り曲げ用部Ｂ１の間の部分Ａが既に上壁折り曲げ用部Ｂ１に沿って折り曲げられており、その折り曲げ部分Ａが開かれた包装箱１から突き出す袋２の下方に位置して該開かれた箱部分の復帰回動が妨げられる（図９（Ｂ）参照）。従って、袋２を圧抜き部２５のある部位が該開ける部分Ｐの近くに位置するように箱１に収容しておけば、包装箱１の一部Ｐをこのように不完全に開けた状態でも袋２をその圧抜き部２５を高い位置において包装箱１ごと傾斜させて電子レンジ内に配置できる。
【００６８】
下壁１４の前端１４１から下壁折り曲げ用部Ｂ２までの距離は、本例では、前記のように「９０度開き」する場合でも、上壁１１の中央破断用部Ｃ１と折り曲げ用部Ｂ１の間の該折り曲げ用部に沿って折り曲げられた部分Ａが開かれた包装箱１から突き出す食品密封収容袋２の下方に位置することができる距離とする。具体例として、下壁１４の前端１４１から下壁折り曲げ用部Ｂ２（本例ではより正確には中央折り曲げ用部ｂ２３のヒンジ部ｙまでの距離を上壁１１の前端１１１から上壁折り曲げ用部Ｂ１までの距離と同等程度又はそれより長くしている。
【００６９】
包装箱１の前記の標準的な開け方とは異なるさらに他の開け方の例として、図１０（Ａ）に示す次の開け方も考えられる。
すなわち、上壁１１の中央破断用部Ｃ１と折り曲げ用部Ｂ１の間の部分Ａを指で箱内側へ押し込むようにして該中央破断用部Ｃ１を破断し、その押し込み部分Ａを該破断操作にともなって折り曲げ用部Ｂ１に沿って箱内側へ向け折り曲げ、或いはさらに上壁１１の中央破断用部Ｃ１の破断に続けて左右の破断用部Ｃ２１、Ｃ２２を開け、或いはさらに左右側壁１２、１３の破断用部Ｃ３１、Ｃ３２も破断させ、しかし、下壁１４の前端部Ｂを下壁折り曲げ用部Ｂ２にそって下側へ折り曲げない開け方である。
以下この開き方を「平坦開き」と言う。
【００７０】
包装箱１はこのような開け方の場合でも、包装箱１及びそれに収容される袋２が該袋の圧抜き部２５を高い位置に置くように傾斜姿勢をとることができる。
すなわち、下壁折り曲げ用部Ｂ２に左右の傾斜破断用部ｂ２１、ｂ２２が形成されており、箱内袋２が加熱により内圧で膨張して包装箱１の上壁１１及び下壁１４が丸みを帯びるように変形するにつれ、図１０（Ｂ）のように傾斜破断用部ｂ２１、ｂ２２が破断され、それにより包装箱１の開けられた部分Ｐが下方へ反り、包装箱１及び袋２が該袋の圧抜き部２５が高い位置におかれるように傾斜姿勢をとることができる。
【００７１】
包装箱１の前記の標準的な開け方とは異なるさらに他の開け方として、図１１に示す開け方も考えられる。図１１の開け方は、上壁１１の破断用部から開けるのではなく、下壁１４の折り曲げ用部Ｂ２を破断して箱１を開けてしまう例である。
【００７２】
このような開け方をする場合でも、箱内袋２が加熱により内圧で膨張して箱１の上壁１１及び下壁１４が丸みを帯びるように変形するにつれ、図１１に示すように箱１の開けられた部分Ｐ’が反り、それにより箱１及びそれに収容された袋２が該袋の圧抜き部２５が高い位置におかれるように傾斜姿勢をとることができる。
【００７３】
ところで、包装箱１の前壁１５が、左右の側壁１２，１３の前端に連続する前フラップ１２１，１３１をそれぞれ内側に折り曲げ、それらフラップ上に、上壁前端に連続する前壁用片１５１及び下壁前端に連続する前壁用片１５２を曲げ重ね、それら前壁用片１５１、１５２を糊付けするだけで形成されていると、前壁１５が膨出するように丸みを帯びることがある（図１２（Ｃ）参照）。
【００７４】
そうなると、図１２（Ｃ）のように箱１を「９０度開き」する場合、包装箱１を傾斜姿勢に支える開かれた部分Ｐの下端面となる包装箱前壁１５の外面Ｓ１が電子レンジ内トレイＴ上で滑って復帰回動し易くなり、箱姿勢が不安定になるおそれがある。
【００７５】
そこで前壁１５の外面Ｓ１を平坦化するために次のようにしてもよい。すなわち、図１２（Ａ）に示すように、左右の側壁１２，１３の前端に連続する前フラップ１２１，１３１がそれぞれ内側に折り曲げられ、該左右の前フラップ上に、上壁１１の前端１１１に連続する前壁用片１５１及び下壁１４の前端１４１に連続する前壁用片１５２のうち一方片（本例では１５１）が曲げ重ねられ、且つ、該一方１５１に予め形成しておいた糊通し孔ｈが重ねられ、さらに該一方片１５１の上に他方片１５２が曲げ重ねられるとともに両前壁用片が糊Ｇで相互接着され、且つ、前壁用片１５２が糊通し孔ｈを介してフラップ１２１，１３１にも糊付けされるようにしてもよい。このようにすると、図１２（Ｂ）に示すように、包装箱１を傾斜姿勢に支える開かれた部分Ｐの下端面となる包装箱前壁１５の外面Ｓ１が平坦面化し、それだけ電子レンジ内トレイＴ上で箱姿勢が安定化する。
【００７６】
また、このような前壁外面の平坦化に代えて、或いは平坦化とともに、次のようにしてもよい。すなわち、図１４に示すように前壁１５が上壁１１の前端１１１に連続する前壁用片１５１及び下壁１４の前端１４１に連続する前壁用片１５２を含んでおり、両前壁用片１５１，１５２はそれらのうち一方１５１の上に他方１５２が重ねられるように曲げ重ねられるとともに互いに糊付けされており、下壁１４の前端１４１に連続する前壁用片１５２に下壁前端１４１から一体的に突出する突起１５２０が切断線で囲って形成され、前壁用片１５２の前壁用片１５１への曲げ重ねにより突起１５２０が下壁前端１４１から突出するようにしてもよい。
【００７７】
この突起１５２０は前壁外面Ｓ１が下壁後端側で高位置をとるように電子レンジ内トレイ上に傾斜配置されることを可能とし、滑り止め機能を発揮する。
【００７８】
以上説明した包装体１００は、そうする必要はないが、例えば下壁１４が表に向けられて展示、販売等される場合が考えられる。
【産業上の利用可能性】
【００７９】
本発明は電子レンジ加熱可能な食品を密封収容した食品密封収容袋を包装する食品密封収容袋包装箱及び前記食品密封収容袋を前記食品密封収容袋包装箱に収容した食品密封収容袋包装体を提供することに利用できる。
【符号の説明】
【００８０】
１００  食品密封収容袋包装体
１  食品密封収容袋包装箱
１０  箱原板
１１  上壁
１１１  上壁前端
１１２  上壁後端
１２  左側壁
１３  右側壁
Ｃ１  上壁の中央破断用部
Ｃ２１、Ｃ２２  上壁の左右の破断用部
Ｂ１、Ｂ１’  上壁折り曲げ用部
ｂ１、ｂ１’  切断線
ｂ２、      ｂ２００、ｂ２’、ｂ２００’  折り曲げ用筋付け線
Ｃ３１、Ｃ３２  側壁破断用部
１４  下壁
１４１  下壁前端
１４２  下壁後端
１４３、１４４  下壁側端
Ｂ２  下壁折り曲げ用部
ｂ２１、ｂ２２  下壁の傾斜破断用部
ｂ２３  下壁の中央折り曲げ用部
ｘ１、ｘ２  山形状及び逆山形状の切断線
ｙ  非切断ヒンジ部
１５  前壁
１２１、１３１  前フラップ
１５１，１５２  前壁用片
ｈ  糊通し孔
１６  後壁
１２２、１３２  後ろフラップ
１６１，１６２  後壁用片
１５２０  突起
１７  糊代片
１７１  破断用部
２  食品密封収容袋
ｆ  フィルム
２０  周辺部
２１  前辺部
２２  後辺部
２３  側辺部
２４  コーナ部位
２５  圧抜き部
Ｆ  食品
【図１】
0005750023.tif 000002
【図２】
0005750023.tif 000003
【図３】
0005750023.tif 000004
【図４】
0005750023.tif 000005
【図５】
0005750023.tif 000006
【図６】
0005750023.tif 000007
【図７】
0005750023.tif 000008
【図８】
0005750023.tif 000009
【図９】
0005750023.tif 000010
【図１０】
0005750023.tif 000011
【図１１】
0005750023.tif 000012
【図１２】
0005750023.tif 000013
【図１３】
0005750023.tif 000014
【図１４】
0005750023.tif 000015
【図１５】
0005750023.tif 000016